(57)【要約】【課題】物理的に１本の回線を多重することで複数の加入者を収容する１次群速度インタフェースを用いたデータ通信において、低消費電力化と長寿命化とを実現するＲＡＳ装置および回線閉塞方法を提供する。【解決手段】ＲＡＳ装置１は、ＩＳＤＮ交換機と接続されるＮ本のＴ１インタフェース（１次群速度インタフェース）５それぞれに対応する複数のＴ１インタフェース部２０と、ＩＰ網と接続するＩＰインタフェース部３０と、ＩＳＤＮとＩＰ網間の呼接続状態を管理し、回線の給電制御を行う制御部１０と、各回線の使用状況を記憶する回線管理情報１００とを備える。そして、ＲＡＳ装置１の制御部１０は、回線管理情報１００を参照し、Ｎ本のＴ１インタフェース５の回線のうち、データ通信の稼動実績が大きい回線の呼を、稼動実績の小さい回線に移動させ、すべての呼が移動し終わるとその回線への通電を停止する。【選択図】図２
2013115530.tif 000002
【特許請求の範囲】
【請求項１】
ＩＳＤＮ交換機に１次群速度インタフェースの複数の回線で接続され、かつ、ＩＰ網にＩＰインタフェースで接続され、前記ＩＳＤＮ交換機から受信したＴＤＭ（Time Division Multiplexing）データと前記ＩＰ網で送受信されるＩＰパケットとを相互変換して呼接続するＲＡＳ（Remote Access Service）装置であって、
前記１次群速度インタフェースの複数の回線毎のタイムスロットの使用状態および通電時間を記憶する回線管理情報が格納される記憶部と、
前記タイムスロットの使用状態および前記通電時間またはいずれか一方に基づき、前記１次群速度インタフェースの回線それぞれの稼動実績を算出し、前記算出した稼動実績が大きい回線の呼を切断し、当該切断した呼を前記稼動実績の小さい回線に移動させ、前記稼動実績が大きい回線への通電を停止する回線閉塞処理を行う制御部と、
を備えることを特徴とするＲＡＳ装置。
【請求項２】
前記ＲＡＳ装置の制御部は、
前記稼動実績が大きい回線の呼を切断する際に、移動先として前記稼動実績の小さい回線のタイムスロットを決定し、
当該呼が切断前に接続していた接続元および接続先のアドレス情報と、前記移動先となる回線および前記決定したタイムスロットとを、接続関係管理情報として前記記憶部に記憶し、
前記ＩＳＤＮ交換機から前記切断した呼の再発呼要求があった場合に、前記接続関係管理情報を参照し、前記アドレス情報を取得して、前記移動先となる回線および前記決定したタイムスロットを使用し再接続すること
を特徴とする請求項１に記載のＲＡＳ装置。
【請求項３】
前記ＲＡＳ装置の制御部は、
前記ＩＳＤＮ交換機から前記回線閉塞処理を行っている閉塞途中の前記回線に対して発呼要求があった場合に、前記稼動実績が小さい回線の未使用のタイムスロットを前記ＩＳＤＮ交換機に通知し、呼接続を行うこと
を特徴とする請求項１または請求項２に記載のＲＡＳ装置。
【請求項４】
前記ＲＡＳ装置の制御部は、
前記１次群速度インタフェースの複数の回線のうち、１つの回線を除いた他の回線それぞれのすべてのタイムスロットが使用中であり、かつ、当該１つの回線が前記回線閉塞処理を行っている閉塞途中の前記回線である場合に、当該１つの回線の使用中のタイムスロットの数が所定の閾値を超えたときに、当該１つの回線の前記回線閉塞処理を止めて、呼接続を行うこと
を特徴とする請求項１または請求項２に記載のＲＡＳ装置。
【請求項５】
前記ＲＡＳ装置の制御部は、
前記１次群速度インタフェースの複数の回線のうちの数個の回線が、当該回線への通電を停止した閉塞状態であり、当該数個の回線以外の前記回線のうち、１つの回線を除いた他の回線それぞれのすべてのタイムスロットが使用中である場合に、当該１つの回線の使用中のタイムスロットの数が所定の閾値を超えたときに、前記閉塞状態の数個の回線のうち、前記稼動実績が最も小さい回線への通電を開始し、呼接続を行うこと
を特徴とする請求項１または請求項２に記載のＲＡＳ装置。
【請求項６】
ＩＳＤＮ交換機に１次群速度インタフェースの複数の回線で接続され、かつ、ＩＰ網にＩＰインタフェースで接続され、前記ＩＳＤＮ交換機から受信したＴＤＭデータと前記ＩＰ網で送受信されるＩＰパケットとを相互変換して呼接続するＲＡＳ装置の回線閉塞方法であって、
前記ＲＡＳ装置は、
前記１次群速度インタフェースの複数の回線毎のタイムスロットの使用状態および通電時間を記憶する回線管理情報が格納される記憶部を備えており、
前記タイムスロットの使用状態および前記通電時間またはいずれか一方に基づき、前記１次群速度インタフェースの回線それぞれの稼動実績を算出し、前記算出した稼動実績が大きい回線の呼を切断し、当該切断した呼を前記稼動実績の小さい回線に移動させ、前記稼動実績が大きい回線への通電を停止する回線閉塞処理を実行すること
を特徴とする回線閉塞方法。
【発明の詳細な説明】
【技術分野】
【０００１】
本発明は、従来電話網（レガシー網）を構成する交換機の１次群速度インタフェース回線を利用して、ＲＡＳ（Remote Access Service）装置のインタフェース回線回路の使用状況に応じて回線回路への給電の停止若しくは起動を行う装置に関する。
【背景技術】
【０００２】
従来技術として、光通信システムにおいて、加入者装置と通信事業者装置間のデータの送受信がなくなった場合に、加入者装置の光送受信回路の給電を停止して省電力化と装置の長寿命化を実現する技術が開示されている（特許文献１参照）。
【先行技術文献】
【特許文献】
【０００３】
【特許文献１】特開２０１０−２７８５２４号公報
【発明の概要】
【発明が解決しようとする課題】
【０００４】
電話やインターネット接続に用いられる通信網は、アナログ電話網、ＩＳＤＮ（Integrated Services Digital Network）、ＩＰ（Internet Protocol）網と異なるプロトコルのネットワークが混在している状況であるが、将来的にはＩＰ網に統合される方向にある。従って、古くから使われ老朽化が進むレガシー網と、近年になって盛んに用いられるようになったＩＰ網との間を介在する装置は当面の間の必須製品として不可欠である。
【０００５】
一方で、電気通信事業会においてＩＣＴ（Information and Communication Technology）分野におけるエコロジーガイドラインが策定されており、地球温暖化防止のための施策のひとつとして温室効果ガスの排出削減を行っている状況下、今後当該製品を生産するにあたっては、電力消費が極力少ないものであることが求められる。特に通信機器は消費電力の大きな電子機器であり、積極的な省電力化策を織り込む必要がある。
【０００６】
このような状況において、レガシー網のインタフェースを構成する個々のレガシー部品の省電力の実現性が問題となる。レガシー部品は、エコロジーが求められる以前に設計されたものであり、消費電力の低減という観点では作られておらず、その上、今後市場縮小が見込まれるものであることから、部品メーカとしても消費電力低減等の新機能を追加することに着手することは極めて困難である。
【０００７】
そこで、特許文献１に記載の技術を考慮すると、特許文献１において実現する通信装置は、加入者１回線単位の省電力を行うものである。本発明で対象とする通信回線は、例えばＩＳＤＮにおける１次群速度インタフェースのような複数の加入者を物理的に１本のメタル線に多重して常時接続通信するものであり、このような場合には、１次群速度インタフェースを収容する通信事業者側の通信装置は、１つの１次群速度インタフェースについて１つの回路を用いることが効率的であり、従来から１つの１次群速度インタフェースに１つの回路を割り当てる設計とするのが定石であった。従って、１加入者のデータ通信が停止したとしても、他の加入者のデータ通信が継続していれば、その回線を停止することはできない。
【０００８】
このような背景に鑑みて本発明がなされたのであり、本発明は、物理的に１本の回線を多重することで複数の加入者を収容する１次群速度インタフェースを用いたデータ通信において、低消費電力化と共に長寿命化を実現するＲＡＳ装置および回線閉塞方法を提供することを課題とする。
【課題を解決するための手段】
【０００９】
前記課題を解決するため、本発明のＲＡＳ装置は、ＩＳＤＮ交換機と接続されるＮ本の１次群速度インタフェース（Ｔ１インタフェース）それぞれに対応する複数の１次群速度インタフェース部（Ｔ１インタフェース部）と、ＩＰ網と接続するＩＰインタフェース部と、ＩＳＤＮとＩＰ網間の呼接続状態を管理し、回線の給電制御を行う制御部と、各回線の使用状況を記憶する回線管理情報とを備える。そして、ＲＡＳ装置の制御部は、回線管理情報を参照し、Ｎ本の１次群速度インタフェース（Ｔ１インタフェース）の回線のうち、データ通信の稼動実績が大きい回線の呼を、稼動実績の小さい回線に移動させ、すべての呼が移動し終わるとその回線への通電を停止することを特徴とする。
【発明の効果】
【００１０】
本発明によれば、物理的に１本の回線を多重することで複数の加入者を収容する１次群速度インタフェースを用いたデータ通信において、低消費電力化と長寿命化とを実現するＲＡＳ装置および回線閉塞方法を提供することができる。
【図面の簡単な説明】
【００１１】
【図１】本実施形態に係るＲＡＳ装置を含むネットワークシステムの構成例を示す図である。
【図２】本実施形態に係るＲＡＳ装置の構成例を示すブロック図である。
【図３】本実施形態に係る回線管理情報のデータ構成の一例を示す図である。
【図４】本実施形態に係るタイムスロット管理情報のデータ構成の一例を示す図である。
【図５】本実施形態に係る回線（呼）移動情報のデータ構成の一例を示す図である。
【図６】本実施形態に係る接続関係管理情報のデータ構成の一例を示す図である。
【図７】本実施形態に係るＲＡＳ装置を含むネットワークシステムにおいて、端末が発呼してサーバに接続する場合における呼制御シーケンスを示す図である。
【図８】本実施形態に係るＲＡＳ装置の回線閉塞処理の流れを示すフローチャートである。
【図９】本実施形態において、回線の閉塞途中に、発呼が行われた場合の制御シーケンスを示す図である。
【図１０】本実施形態において、回線の閉塞途中に、発呼が行われた場合に行われる接続先決定処理を示すフローチャートである。
【図１１】図７におけるＢチャンネル（Ｂｃｈ）通信とＩＰ通信の接続シーケンスを説明するための図である。
【図１２】本実施形態において、回線閉塞処理により切断された呼について、再発呼がなされた場合の制御シーケンスを示す図である。
【発明を実施するための形態】
【００１２】
次に、本発明を実施するための形態（以下、「実施形態」とよぶ。）について、適宜図面を参照しながら詳細に説明する。
なお、本実施形態においては、常時接続型ＩＳＤＮ通信において、ＴＤＭ（Time Division Multiplexing）データをＩＰパケットへ変換するＲＡＳ（Remote Access Service）装置１を低消費電力化および長寿命化する方式を例に説明する。
【００１３】
図１は、本実施形態に係るＲＡＳ装置１を含むネットワークシステムの構成例を示す図である。
図１に示すように、本ネットワークシステムにおいて、ＲＡＳ装置１は、ＩＳＤＮ交換機４とＮ本のＴ１インタフェース（１次群速度インタフェース）５を介して接続され、他方、ＬＡＮ（Local Area Network）ケーブル等で実現されるＩＰインタフェース６を介してＩＰ網５０と接続する。ＩＳＤＮ交換機４は、電話網４０を構成する要素のひとつであり、ＴＡ（Terminal Adapter）３を介してパーソナルコンピュータ等の端末２を収容する。ＩＰ網５０には、各種サービスを提供するサーバ７が配備されており、例えば情報コンテンツの閲覧等が行える。なお、ＲＡＳ装置１は、ＩＰ網５０との接続を確立するための、ＲＡＤＩＵＳ（Remote Authentication Dial In User Server）サーバおよびＬＮＳ（L2TP Network Server）（いずれも不図示）とも接続されている（詳細は後記する図１１参照）。
【００１４】
ＲＡＳ装置１は、端末２へインターネットサービスを提供するために、ＴＤＭデータとＩＰパケットとの相互変換を行う。本発明では、以下に説明する本実施形態に係るＲＡＳ装置１が、常時接続中の端末２との間の呼接続を一時的に切断することにより消費電力の低減を行うが、その際、端末２からの再接続要求が発生した場合には、切断した呼の接続情報をＲＡＳ装置１が保持しておくことにより、円滑に再接続を行いＩＰサービスを提供することができる。
【００１５】
なお、１次群速度インタフェースには、Ｔ１インタフェース、Ｅ１インタフェース等の多様な種別の回線があるが、本実施形態においては、Ｔ１インタフェース５として説明する。その他の種別の１次群速度インタフェースに本発明を適用する場合は、それぞれに対応したタイムスロット数に変更することにより実現可能である。
【００１６】
次に、本実施形態に係るＲＡＳ装置１について説明する。
図２は、本実施形態に係るＲＡＳ装置１の構成例を示すブロック図である。
【００１７】
図２に示すように、ＲＡＳ装置１は、Ｎ本のＴ１インタフェース（１次群速度インタフェース）５それぞれに接続されるＴ１インタフェース部２０と、ＩＰインタフェース６に接続されるＩＰインタフェース部３０と、制御部１０と、回線管理情報１００、タイムスロット管理情報２００、回線（呼）移動情報３００および接続関係管理情報４００を格納する記憶部（不図示）とを含んで構成される。
このＲＡＳ装置１は、Ｎ本のＴ１インタフェース５の回線のうち、データ通信の稼動実績が大きい回線の呼を、稼動実績の小さい回線に移動させ、すべての呼が移動し終わるとその回線への通電を停止する。また、ＲＡＳ装置１は、回線を移動させるために一時的に切断した呼についての接続情報を保持することで、再発呼が行われた場合の接続を容易に行うことができる。
以下、各構成について、具体的に説明する。
【００１８】
Ｔ１インタフェース部２０（＃１〜＃Ｎ）は、ＩＳＤＮ交換機４と接続されるＮ本のＴ１インタフェース（１次群速度インタフェース）５（＃１〜＃Ｎ）それぞれに対応して、Ｎ個のＴ１インタフェース部２０（＃１〜＃Ｎ）が設けられる。
【００１９】
ＩＰインタフェース部３０は、ＩＰインタフェース６を介してＩＰ網５０と接続するためのインタフェースで構成される。
【００２０】
ＲＡＳ装置１の記憶部（不図示）には、回線管理情報１００、タイムスロット管理情報２００、回線（呼）移動情報３００および接続関係管理情報４００が格納されている。
なお、この記憶部は、ＲＡＭ（Random Access Memory）、ハードディスク、フラッシュメモリ等の記憶手段から構成される。
【００２１】
回線管理情報１００は、ＲＡＳ装置１の制御部１０が低消費電力化を行う上で、いずれのＴ１インタフェース５の回線（以下、「Ｔ１インタフェース回線」とよぶときがある。）で通電停止できるかを決定する際に参照する情報である。
図３は、本実施形態に係る回線管理情報１００のデータ構成の一例を示す図である。
【００２２】
図３に示すように、回線管理情報１００は、そのデータ項目として、回線番号１１０に対応付けて、タイムスロット（ＴＳ）番号１２０毎の使用若しくは不使用の情報、使用ＴＳ数１３０、残ＴＳ数１３１、累積通電時間１４０、最終通電累積時間１４１、二乗平均１５０、二乗平均に基づく順位１５１、回線状態１６０および通電状態１６１の各情報が記憶される。これらの情報は、制御部１０の後記する管理情報更新部１３（図２参照）により、所定の時間間隔毎に、または、いずれかひとつの呼切断が発生した時に、更新される。
なお、図３以降の説明において、Ｔ１インタフェース５の回線数（Ｎ本）を、説明の簡略化と理解の容易性を勘案してＮ＝８本として説明する。
【００２３】
タイムスロット（ＴＳ）番号１２０には、各回線のタイムスロット（ＴＳ１〜ＴＳ２３）毎に、現在使用中のタイムスロットには「１」が記憶され、現在未使用のタイムスロットには「０」が記憶される。
【００２４】
使用ＴＳ数１３０には、ＴＳ番号１２０のＴＳ１〜ＴＳ２３の情報に基づき、現在使用中のタイムスロット（ＴＳ）の数が記憶される。
また、残ＴＳ数１３１には、ＴＳ番号１２０のＴＳ１〜ＴＳ２３の情報に基づき、現在未使用のタイムスロット（ＴＳ）の数が記憶される。
なお、請求項のタイムスロットの使用状態は、タイムスロット（ＴＳ）番号１２０毎の使用若しくは不使用の情報、使用ＴＳ数１３０および残ＴＳ数１３１の各情報を含む概念である。
【００２５】
累積通電時間１４０には、各回線毎に、通電を開始したときから現在までの通電時間が記憶される。例えば、回線番号１１０が「１」の回線の通電を開始してからの通電時間は現在「４２００」秒で通電継続中あることを示す。なお、回線番号１１０が「２」の回線の場合は、後記する通電状態１６１が「ＯＦＦ」で現在通電されていない状態であり、累積通電時間１４０が「２７００」秒で止まったことを示している。
【００２６】
最終通電累積時間１４１には、各回線毎に、最後に通電を停止したときのその回線の通電の累積時間が記憶される。例えば、回線番号１１０が「２」の回線は、最後に通電を停止したときの累積通電時間１４０である「２７００」秒に加えて、更新前の最終通電累積時間１４１に記憶されていた「３００」秒（不図示）を加えた「３０００」秒が、最終通電累積時間１４１として記憶される。つまり、この最終通電累積時間１４１は、その回線の通電が停止される毎に更新され、その回線のトータルの通電時間を示す。
なお、請求項の通電時間は、累積通電時間１４０および最終通電累積時間１４１を含む概念である。
【００２７】
二乗平均１５０には、残ＴＳ数１３１と累積通電時間１４０とをパラメータとした二乗平均１５０が記憶される。本実施形態においては、この二乗平均１５０を、その回線の稼動実績の大小の指標とし、次のデータ項目である順位１５１において、この二乗平均１５０の算出値が小さい（稼動実績の小さい）回線から算出値の大きい（稼動実績の大きい）回線の順に順位を決定しておく。
なお、この二乗平均１５０に算出については、制御部１０の後記する管理情報更新部１３において説明する。
【００２８】
順位１５１には、二乗平均１５０の算出値の小さいものから順に上位に位置付ける順位が記憶される。例えば、回線番号１１０が「７」の回線は、二乗平均１５０が一番小さいのので順位１５１に「１」が記憶される。また、回線番号１１０が「６」の回線は、二乗平均１５０が一番大きいので順位１５１に「８」が記憶される。なお、この順位１５１は、制御部１０の後記する回線閉塞処理部１１が閉塞する回線を選択するときに参照する。
【００２９】
回線状態１６０には、現時点における回線の状態が、「動作中」「閉塞」「閉塞途中」のいずれの状態であるかが記憶される。なお、「閉塞途中」は、制御部１０の後記する回線閉塞処理部１１が回線の閉塞処理を実行中であることを示す（詳細は後記）。
通電状態１６１には、その回線が通電中である場合には「ＯＮ」が記憶され、通電が停止中の場合には「ＯＦＦ」が記憶される。
【００３０】
図２に戻り、タイムスロット管理情報２００は、タイムスロット（ＴＳ）毎に付与される固有電話番号やそのタイムスロットの現時点の使用状態等を管理するための情報である。
図４は、本実施形態に係るタイムスロット管理情報２００のデータ構成の一例を示す図である。図４に示すように、タイムスロット管理情報２００には、Ｔ１インタフェース５の回線番号２０１のタイムスロット（ＴＳ）番号２０２に対応付けて、固有電話番号２０３、データ受信最終時間２０４、現時間との差分２０５およびＴＳ状態２０６の各情報が記憶される。
【００３１】
固有電話番号２０３には、各回線のタイムスロット毎に、事前に電話網４０で設定されている固有の電話番号が記憶される。
【００３２】
データ受信最終時間２０４には、タイムスロット毎に、データの受信を検知した最後の時間が記憶される。例えば、回線番号２０１が「１」の回線のＴＳ番号２０２が「２」のタイムスロットは、データ受信最終時間２０４が、１１月０１日２０時５１分５０秒であることを示す。
なお、このデータ受信最終時間２０４は、後記するＴＳ状態２０６が「通信中」の場合は「―」が記憶され、ＴＳ状態２０６が「空き」の場合は、「０」が記憶される。
【００３３】
現時間との差分２０５には、データ受信最終時間２０４と現時間との差分が記憶される。例えば、回線番号２０１が「１」の回線のＴＳ番号２０２が「２」のタイムスロットの現時間との差分２０５には、「２５００」秒がデータ受信最終時間２０４と現時間との差分として記憶される。
なお、この現時間との差分２０５は、後記するＴＳ状態２０６が「通信中」の場合は、「―」が記憶され、ＴＳ状態２０６が「空き」の場合は、「０」が記憶される。
【００３４】
ＴＳ状態２０６には、各タイムスロットが、「通信中」「空き」「通信データ無し」のいずれかの状態であるかが記憶される。ここで「通信データ無し」とは、通信中であるがデータやりとりが無い状態を意味する。具体的には、制御部１０の後記する管理情報更新部１３が、所定の閾値、例えば、「５０００」秒を設定し、現時間との差分２０５の値を参照して、現時点との差分２０５が「５０００」秒以下の値のときは、ＴＳ状態２０６を「通信データ無し（通信中であるがデータやりとりが無い）」とし、閾値である「５０００」秒を超えて、データのやり取りが無ければ、ＴＳ状態２０６を「空き」とする。
このＴＳ状態２０６は、制御部１０の後記する回線閉塞処理部１１が、回線閉塞処理を行う場合に参照され、ＴＳ状態２０６が「通信データ無し（通信中であるがデータやりとりが無い）」のタイムスロットの呼について、回線閉塞処理部１１がその呼を他の回線に移動させるために一時的に切断する処理を行う。
【００３５】
なお、このデータ受信最終時間２０４、現時点との差分２０５およびＴＳ状態２０６は、制御部１０の後記する管理情報更新部１３が、各Ｔ１インタフェース部２０（＃１〜＃Ｎ）を監視することにより更新する。
【００３６】
図２に戻り、回線（呼）移動情報３００には、Ｔ１インタフェース５の回線の通電を停止するにあたって、通電を停止したい回線のタイムスロットの呼を、別の通電を継続する回線のタイムスロットに移動させる情報が記憶される。
図５は、本実施形態に係る回線（呼）移動情報３００のデータ構成の一例を示す図である。図５に示すように、回線（呼）移動情報３００は、回線番号およびその回線のタイムスロット（ＴＳ）毎に、「タイムスロット（ＴＳ）の使用状況」（上段に示す情報）と、「移動先または移動元」（下段に示す情報）とで構成される。
【００３７】
例えば、第６回線の第１タイムスロット（ＴＳ０１）のように、上段の「タイムスロット（ＴＳ）の使用状況」の欄に「１」（使用中）が記憶され、下段の「移動先または移動元」の欄に「７／１」が記憶されている場合には、当該タイムスロットの呼を第７回線の第１タイムスロット（ＴＳ０１）に移動することを示す。また、第７回線の第１タイムスロット（ＴＳ０１）のように、上段の「タイムスロット（ＴＳ）の使用状況」の欄に「０」（未使用）が記憶され、下段の「移動先または移動元」の欄に「６／１」が記憶されている場合には、第６回線の第１タイムスロットから当該タイムスロットの呼が移動してくることを示す。つまり、各回線のタイムスロットの下段に情報が入っている場合には、リザーブ状態であり、他の呼接続処理を実施させないことになる。
【００３８】
なお、この回線（呼）移動情報３００は、制御部１０の後記する回線閉塞処理部１１が、回線閉塞処理を行う場合に、閉塞途中の回線のタイムスロットの呼の移動先として他の回線のタイムスロットを決定する際に参照される。そして、回線閉塞処理部１１は、閉塞する回線のタイムスロットの呼の移動先となる回線のタイムスロットを決定することにより、この回線（呼）移動情報３００の情報を更新する（詳細は後記）。
【００３９】
図２に戻り、接続関係管理情報４００には、Ｔ１インタフェース５の回線の通電を停止するにあたって、当該タイムスロットの呼を、別の通電継続する回線のタイムスロットに移動する場合に必要となる接続情報が記憶される。
図６は、本実施形態に係る接続関係管理情報４００のデータ構成の一例を示す図である。図６に示すように、接続関係管理情報４００には、接続元（発呼端末２）の接続元電話番号４０１と、接続元ＩＰアドレス４０２と、接続先ＩＰアドレス４０３と、再発呼時に使用する回線番号／ＴＳ番号４０４（図６では「回線／ＴＳ」と記載）とが記憶される。
【００４０】
この接続関係管理情報４００は、回線の通電停止のためにタイムスロットの呼を別回線に移動させる際に、どの端末２がどのサーバ７（図１参照）に接続していたのかを示す接続情報を保持するためのものである。そして、発呼電話番号（接続元電話番号４０１）と、その電話番号による呼が移動前に使っていたサーバのＩＰアドレスとを対応付けて記憶し、かつ、当該電話番号について次の接続時（再発呼時）に使用するＴ１インタフェース５の回線番号およびタイムスロット（ＴＳ）番号を記憶しておくことにより、通電停止後の端末２からの再発呼時に、端末２とサーバ７との間のＩＰアドレスの交換等のプロトコル処理を簡略化若しくは省略させる。
【００４１】
なお、この接続関係管理情報４００は、制御部１０の回線閉塞処理部１１が回線閉塞処理の中で、閉塞する回線のタイムスロットの呼を切断する際に生成する。そして、管理情報更新部１３が、所定時間が経っても再発呼されず、利用されない情報について削除処理を行う。また、端末２からの再発呼があった場合には、制御部１０の回線制御部１２がこの接続関係管理情報４００を参照することにより、端末２とサーバ７との間のプロトコル処理を省略し、迅速な通信再開を可能とする（詳細は後記）。
【００４２】
図２に戻り、制御部１０は、ＲＡＳ装置１全体の制御を司り、回線閉塞処理部１１と、回線制御部１２と、管理情報更新部１３とを含んで構成される。
なお、このＲＡＳ装置１の制御部１０の機能は、例えば、ＲＡＳ装置１の記憶部（不図示）に記憶されたプログラムを、ＣＰＵ（Central Processing Unit）がＲＡＭ等のメモリに展開し実行することで実現される。
【００４３】
回線閉塞処理部１１は、回線管理情報１００（図３）を参照し、稼動実績がより大きい回線（二乗平均の順位１５１が下位の回線）から順に接続中の呼を、稼動実績がより小さい回線（二乗平均の順位１５１が上位の回線）へ移動させ、稼動実績が大きい回線の収容する呼すべての呼切断が完了すると、その回線の通電を停止する回線閉塞処理を実行する。
なお、回線閉塞処理部１１は、回線管理情報１００の二乗平均の順位１５１を参照して、稼動実績の最も少ない回線を第１位の回線とし、稼動実績の最も大きい回線を第Ｎ位（ここでは第８位）として、第Ｎ位の回線の呼を、稼動実績の小さい回線に移動させる処理を行う。このとき、回線閉塞処理部１１は、回線（呼）移動情報３００（図５）を参照して、切断する呼の移動先の回線のタイムスロットを決定する。そして、回線閉塞処理部１１は、タイムスロット管理情報２００（図４）を参照し、該当する回線のうちＴＳ状態２０６が「通信データ無し（通信中であるがデータやりとりが無い）」のタイムスロットの呼を切断する処理を順次行う。続いて、回線閉塞処理部１１は、その切断した呼について、端末２からの再発呼に備えて、接続関係管理情報４００（図６）のデータを生成する。そして、回線閉塞処理部１１は、同様にして、稼動実績のより大きい下位の回線の呼を、できるでけ稼動実績のより少ない上位の回線に移動させるように処理を続ける。
具体的には、後記する図８において詳細に説明する。
【００４４】
回線制御部１２は、端末２からの発呼信号を、ＩＳＤＮ交換機４を介して受信し、ＩＰ網５０を介してサーバ７に接続する処理全般を司る。また、回線制御部１２は、回線閉塞処理部１１により、回線を一時的に切断し移動させた呼について、接続関係管理情報４００（図６）を参照し、再接続する処理を行う。さらに、回線制御部１２は、回線閉塞処理部１１により、回線閉塞処理が開始され、回線管理情報１００（図３）の回線状態１６０が「閉塞途中」となった回線について、発呼が行われた場合に、回線状態１６０が「動作中」の別の回線のタイムスロットに、当該発呼を割り当てて通信させる制御を行う。
また、回線制御部１２は、接続関係管理情報４００（図６）に登録している接続元ＩＰアドレス４０２から接続先ＩＰアドレス４０３に向けて所定の間隔でキープアライブ信号を送信する制御を行う（詳細は、後記する図１２参照）。
【００４５】
管理情報更新部１３は、記憶部（不図示）に記憶された各情報を更新する処理を行う。
例えば、管理情報更新部１３は、所定の時間間隔毎に、または、いずれかのひとつの呼切断が発生したときに、回線管理情報１００（図３）のＴＳ番号１２０の各タイムスロットの使用状態（「１」若しくは「０」）や、使用ＴＳ数１３０〜通電状態１６１までの各情報を更新する。
【００４６】
なお、管理情報更新部１３は、回線管理情報１００（図３）の二乗平均１５０を、残ＴＳ数１３１と累積通電時間１４０とに基づき、以下の（式１）を用いて計算する。
【００４７】
【数１】
2013115530.tif 000003
【００４８】
ここで、ｉは残ＴＳ数１３１についての重み係数であり、ｊは累積通電時間１４０についての重み係数である。ただし、本実施形態では、ｉ＝１，ｊ＝１とする。
また、残ＴＳ数１３１、累積通電時間１４０のどちらか一方のみをパラメータとして二乗平均１５０を算出するようにしてもよく、その場合は、ｉまたはｊのどちらかに「０」を挿入すればよい。
【００４９】
また、管理情報更新部１３は、タイムスロット管理情報２００（図４）のデータ受信最終時間２０４、現時点との差分２０５およびＴＳ状態２０６の情報を更新する。さらに、管理情報更新部１３は、接続関係管理情報４００（図６）において、所定時間が経過しても端末２からの再発呼がなく利用されない情報を削除する処理を行う。
【００５０】
次に、本実施形態に係るＲＡＳ装置１を含むネットワークシステムが実行する処理について図７〜図１２を参照して、具体的に説明する。
まず、図７を参照して、本ネットワークシステムにおいて端末２が発呼しサーバ７に接続する基本的な呼制御処理を説明する。続いて、図８を参照して、ＲＡＳ装置１の回線閉塞処理を説明する。次に、図９および図１０を参照して、ＲＡＳ装置１が回線の閉塞途中において端末２から発呼が行われた場合の処理を説明する。そして、図１１および図１２を参照して、回線閉塞した呼が再発呼された場合の処理を説明する。
【００５１】
＜端末とサーバとの間の接続処理＞
図７は、本実施形態に係るＲＡＳ装置１を含む図１に示したネットワークシステムにおいて、端末２が発呼してサーバ７に接続する場合における基本的な呼制御シーケンスを示す図である。なお、図７においては、端末２の図示を省略し、端末２と接続される、常時接続型ＩＳＤＮ通信に対応するＴＡ３からの通信として説明する。
【００５２】
まず、ＴＡ３は、常時接続型通信専用の特別電話番号（以下、「特番」とする。）を使って発呼し、ＩＳＤＮ交換機４へ「ＳＥＴ ＵＰ」信号を送信する（ステップＳ１０１）。
【００５３】
次に、ＩＳＤＮ交換機４は、「ＳＥＴ ＵＰ」信号とその信号に含まれる特番に基づき、当該呼が、常時接続型通信であることを認識する。そして、ＩＳＤＮ交換機４は、ＩＰ網５０（図１参照）方向への接続インタフェースとなるＲＡＳ装置１の、ある１つのチャンネルに対して「ＳＥＴ ＵＰ」信号を送信することにより接続を要求する（ステップＳ１０２）。
ここで、チャンネルとは、図２のＴ１インタフェース５（＃１〜＃Ｎ）で示したＴ１インタフェース回線の中の１つの回線におけるタイムスロットのうちの１つを意味する。通常、ＩＳＤＮの１次群速度インタフェースのＴＤＭデータは、２３本のＢチャンネルと１本のＤチャンネルからなる「２３Ｂ＋Ｄ」の形で定義される。本実施形態においては、Ｎ個のＴ１インタフェース回線を持つので「２３Ｂ×Ｎ＋Ｄ×Ｎ」のタイムスロットを持つ。よって、本実施形態に係るＲＡＳ装置１は、データ通信に使用可能な２３×Ｎ個のチャンネルが存在する。
【００５４】
続いて、ＩＳＤＮ交換機４は、ＴＡ３に対して「ＣＡＬＬ ＰＲＯＣ」信号を返信する（ステップＳ１０３）。
【００５５】
ＲＡＳ装置１は、ＩＳＤＮ交換機４からの「ＳＥＴ ＵＰ」に対して、接続可能を伝える「ＣＯＮＮ」信号をＩＳＤＮ交換機４に送信し（ステップＳ１０４）、ＩＳＤＮ交換機４が返信する「ＣＯＮＮ ＡＣＫ」信号に受信することにより呼接続可能となる（ステップＳ１０５）。
【００５６】
また、ＩＳＤＮ交換機４がＴＡ３へ「ＣＯＮＮ」信号を送信し（ステップＳ１０６）、ＴＡ３とＲＡＳ装置１との間が通信可能となったことを伝達して、両者間のＢチャンネル（Ｂｃｈ）通信が開始される（ステップＳ１０７）。ＲＡＳ装置１では、端末２からの指示に従ってＩＰ網５０上に配備されるサーバ７へと接続（ＩＰ通信）する（ステップＳ１０８）。
【００５７】
このようにすることで、端末２（ＴＡ３）とサーバ７との間が接続され、データ通信が可能となる。なお、Ｂチャンネル（Ｂｃｈ）通信およびＩＰ通信の接続シーケンスについては、後記する図１１において説明する。
【００５８】
＜回線閉塞処理＞
次に、図７に示した接続処理によって、常時接続のデータ通信が可能となったネットワークシステムにおいて、ＲＡＳ装置１が、Ｔ１インタフェース５（図１）の回線閉塞を行う処理について説明する。
図８は、本実施形態に係るＲＡＳ装置１の回線閉塞処理の流れを示すフローチャートである。ここでは、ＲＡＳ装置１が、所定時間毎に各回線の状況を取得し、記憶部に記憶される情報を更新することにより、回線閉塞処理を行い、該当する回線の通電を停止する例を説明する。
【００５９】
まず、ＲＡＳ装置１の回線閉塞処理部１１は、所定時間毎に回線管理情報１００（図３）の順位１５１を走査する。このとき、回線閉塞処理部１１は、変数ａと変数ｂとを規定しておき、初期値としてａ＝１（位）、ｂ＝Ｎ（位）（図３の例ではＮ＝８）を設定する（ステップＳ１０）。
図３の回線管理情報１００に示す例では、二乗平均の順位１５１は、第１位の回線から第８位の回線までが、第７回線、第２回線、第３回線、第８回線、第１回線、第４回線、第５回線、第６回線の順となる。よって、第１位の回線は、第７回線であり、第８位の回線は、第６回線である。
【００６０】
次に、回線閉塞処理部１１は、ステップＳ１０で第ｂ位に設定した回線について、回線管理情報１００（図３）の回線状態１６０を「動作中」から「閉塞途中」に変更する（ステップＳ１１）。
ここでは、回線閉塞処理部１１は、第８位の第６回線の回線状態１６０を「閉塞途中」に変更する（図３参照）。
【００６１】
次に、回線閉塞処理部１１は、回線管理情報１００（図３）の順位１５１が第ａ位の回線に空きとして残っているＴＳの数（残ＴＳ数１３１）を変数Ａに設定し、回線管理情報１００の順位１５１が第ｂ位の回線で通信中のＴＳの数（使用ＴＳ数１３０）を変数Ｂに設定する（ステップＳ１２）。
ここでは、第１位の第７回線の残ＴＳ数１３１である「１１」を変数Ａに設定する。そして、第８位の第６回線の使用ＴＳ数１３０である「１６」を変数Ｂに設定する。
【００６２】
続いて、回線閉塞処理部１１は、変数Ａと変数Ｂについて減算（Ａ−Ｂ）を行い（ステップＳ１３）、その値が０よりも小さければ（ステップＳ１３→Ｎｏ）、ステップＳ１４へ進み、その値が０以上であれば（ステップＳ１３→Ｙｅｓ）、ステップＳ２０へ進む。
ここでは、変数（Ａ−Ｂ）＝１１−１６＝−５＜０であるので、ステップＳ１３→Ｎｏとして、次のステップＳ１４に進む。
【００６３】
次に、回線閉塞処理部１１は、ステップＳ１４〜Ｓ１６において、第ｂ位回線の使用中のタイムスロット（ＴＳ）のうち、Ａ個を第ａ位の回線に移動する呼移動処理を行う。
ここでは、回線閉塞処理部１１が、第８位の第６回線の使用中のタイムスロット（ＴＳ）である「１６」個のうち、「１１」個を第１位の第７回線に移動する呼移動処理を行う。
【００６４】
具体的には、まず、回線閉塞処理部１１は、第ｂ位回線のタイムスロットのうちのＡ個それぞれについて、回線（呼）移動情報３００（図５）に基づき、移動先となる第ａ位回線のタイムスロットを決定する（ステップＳ１４）。
ここでは、回線閉塞処理部１１が、第８位の第６回線のタイムスロット（「１６」個）のうちのＡ個（「１１」個）それぞれについて、移動先となる第１位の第７回線のタイムスロットを決定する。例えば、図５に示すように、回線閉塞処理部１１は、第６回線のタイムスロット番号（ＴＳ０１）の使用中のタイムスロットの移動先として、第７回線のタイムスロット番号（ＴＳ０１）の空きタイムスロットに移動することを決定し、第６回線のタイムスロット番号（ＴＳ０１）に「７／１」を登録し、第７回線のタイムスロット番号（ＴＳ０１）に「６／１」を登録する。同様に、第６回線のタイムスロット番号（ＴＳ０２）のタイムスロットは、第７回線のタイムスロット番号（ＴＳ０４）に、というように、第６回線の１１個の使用中のタイムスロットを第７回線の空きタイムスロットに割り当てる。
【００６５】
続いて、回線閉塞処理部１１は、移動となる第ｂ位の回線のうち、タイムスロット管理情報２００（図４）で、ＴＳ状態２０６が「通信データ無し（通信中であるがデータのやりとりが無い）」であるタイムスロットを抽出し、該当するタイムスロットの呼を移動させるために切断する。
ここで、図４に示す例では、第６回線のタイムスロット「２」のＴＳ状態２０６が「通信データ無し」であるので、回線閉塞処理部１１は、回線（呼）移動情報３００（図５）を参照し、第６回線のタイムスロット「２」を、第７回線のタイムスロット「４」に移動させるため、呼切断する。
そして、回線閉塞処理部１１は、Ａ個の発呼各々のタイムスロットのＴＳ状態２０６が「通信データ無し」になることによって、Ａ個すべてについて呼切断を行う（ステップＳ１５）。つまり、回線閉塞処理部１１は、第６回線のタイムスロットＡ個（「１１」個）すべてが、「通信データ無し」になることにより、「１１」個すべてについて呼切断を行う。
【００６６】
次に、回線閉塞処理部１１は、切断を行ったＡ個の発呼について、接続関係管理情報４００（図６）に、接続元電話番号４０１、接続元ＩＰアドレス４０２、接続先ＩＰアドレス４０３、および端末２から再発呼された場合に使用する移動先となる回線とタイムスロット（回線／ＴＳ４０４）を登録する（ステップＳ１６）。
なお、回線閉塞処理部１１は、回線制御部１２を介して、接続関係管理情報４００に登録している接続元ＩＰアドレス４０２から接続先ＩＰアドレス４０３に向けて所定の間隔でキープアライブ信号を送信しておく（詳細は、図１２参照）。
【００６７】
続いて、回線閉塞処理部１１は、第ｂ位回線に残っている通信中のタイムスロットの数として減算値（Ｂ−Ａ）を変数Ｂに設定する（ステップＳ１７）。ここでは、１６−１１＝５を、変数Ｂに設定する。
また、回線閉塞処理部１１は、タイムスロットの空きが無くなった第ａ位の次の順位の回線を処理対象とするため変数ａに（ａ＋１）を設定する（ステップＳ１８）。ここでは、第１位の回線（第７回線）のタイムスロットが埋まったので、変数ａに１＋１＝２を設定する。
【００６８】
そして、回線閉塞処理部１１は、変数ａと変数ｂとを比較し、変数ａが変数ｂ以上であれば（ステップＳ１９→Ｙｅｓ）、処理を終了する。一方、回線閉塞処理部１１は、変数ａが変数ｂより小さければ（ステップＳ１９→Ｎｏ）、ステップＳ１１に戻り処理を続ける。
ここでは、変数ａ＝２であり、変数ｂ＝８であるので、変数ａが変数ｂより小さく（ステップＳ１９→Ｎｏ）、ステップＳ１１に戻り処理を続ける。
なお、ステップＳ１１において、すでにその第ｂ位回線が、その前のルーチングの処理において、回線状態１６０を「閉塞途中」に変更済みの場合は、この処理を再び行わず次のステップに進む。
【００６９】
次のルーチングの処理のステップＳ１２において、回線閉塞処理部１１は、回線管理情報１００（図３）を参照し、第２位の第２回線の残ＴＳ数１３１である「２３」を変数Ａに設定する。そして、第８位の第６回線の使用ＴＳ数１３０として、「５」を変数Ｂに設定する。
【００７０】
続いて、回線閉塞処理部１１は、変数Ａと変数Ｂについて減算（Ａ−Ｂ）を行い（ステップＳ１３）、その値が０よりも小さければ（ステップＳ１３→Ｎｏ）、ステップＳ１４へ進み、その値が０以上であれば（ステップＳ１３→Ｙｅｓ）、ステップＳ２０へ進む。
ここでは、変数（Ａ−Ｂ）＝２３−５＝１８≧０であるので、ステップＳ１３→Ｙｅｓとして、次のステップＳ２０に進む。
【００７１】
次に、回線閉塞処理部１１は、ステップＳ２０〜Ｓ２２において、第ｂ位回線の使用中のタイムスロット（ＴＳ）のうち、Ｂ個を第ａ位の回線に移動する呼移動処理を行う。
ここでは、回線閉塞処理部１１が、第８位の第６回線の使用中のタイムスロット（ＴＳ）の残りの「５」個を第２位の第２回線に移動する呼移動処理を行う。
【００７２】
具体的には、回線閉塞処理部１１は、第ｂ位回線のタイムスロットのうちのＢ個それぞれについて、回線（呼）移動情報３００（図５参照）に基づき、移動先となる第ａ位回線のタイムスロットを決定する（ステップＳ２０）。
ここでは、回線閉塞処理部１１が、第８位の第６回線のタイムスロットのＢ個（「５」個）それぞれについて、移動先となる第２位の第２回線のタイムスロットを決定する。例えば、図５に示すように、回線閉塞処理部１１は、第６回線のタイムスロット番号（ＴＳ１６）の使用中のタイムスロットの移動先として、第２回線のタイムスロット番号（ＴＳ０１）の空きタイムスロットに移動することを決定し、第６回線のタイムスロット番号（ＴＳ１６）に「２／１」を登録し、第２回線のタイムスロット番号（ＴＳ０１）に「６／１６」を登録する。同様に、第６回線のタイムスロット番号（ＴＳ１７）のタイムスロットは、第２回線のタイムスロット番号（ＴＳ０２）に、というように、第６回線の残りの５個の使用中のタイムスロットを第２回線の空きタイムスロットに割り当てる。
【００７３】
続いて、回線閉塞処理部１１は、移動となる第ｂ位（第８位）の回線のうち、タイムスロット管理情報２００（図４）で、ＴＳ状態２０６が「通信データ無し（通信中であるがデータのやりとりが無い）」であるタイムスロットを抽出し、該当するタイムスロットの呼を移動させるために切断する。そして、回線閉塞処理部１１は、Ｂ個の発呼各々のＴＳ状態２０６が「通信データ無し」になることによって、Ｂ個すべてについて呼切断を行う（ステップＳ２１）。
【００７４】
次に、回線閉塞処理部１１は、切断を行ったＢ個の発呼について、接続関係管理情報４００（図６）に、接続元電話番号４０１、接続元ＩＰアドレス４０２、接続先ＩＰアドレス４０３、および端末２から再発呼された場合に使用する移動先となる回線とタイムスロット（回線／ＴＳ４０４）を登録する（ステップＳ２２）。
【００７５】
そして、回線閉塞処理部１１は、第ｂ位の回線の回線閉塞処理を行う（ステップＳ２３）。
具体的には、回線閉塞処理部１１は、第ｂ位（第８位）の回線のすべての呼移動処理が完了したため、第ｂ位（第８位）の回線の通電を停止する。そして、回線閉塞処理部１１は、管理情報更新部１３を介して、回線管理情報１００（図３）の回線状態１６０を「閉塞途中」から「閉塞」に変更し、通電状態１６１を「ＯＦＦ」とする。
ここでは、第８位の第６回線の回線状態１６０「閉塞」に変更し、通電状態１６１を「ＯＦＦ」とする。
【００７６】
続いて、回線閉塞処理部１１は、第ａ位回線に残っている空きタイムスロットの数として減算値（Ａ−Ｂ）を変数Ａに設定する（ステップＳ２４）。ここでは、変数Ａに、２３−５＝１８を設定する。
また、回線閉塞処理部１１は、閉塞処理した第ｂ位の回線の次の順位の回線を処理対象とするため変数ｂに（ｂ−１）を設定する（ステップＳ２５）。ここでは、変数ｂに、８−１＝７を設定する。
【００７７】
そして、回線閉塞処理部１１は、変数ａと変数ｂとを比較し、変数ａが変数ｂ以上であれば（ステップＳ１９→Ｙｅｓ）、処理を終了する。一方、回線閉塞処理部１１は、変数ａが変数ｂより小さければ（ステップＳ１９→Ｎｏ）、ステップＳ１１に戻り処理を続ける。
ここでは、変数ａ＝２であり、変数ｂ＝７であるので、変数ａが変数ｂより小さく（ステップＳ１９→Ｎｏ）、ステップＳ１１に戻り処理を続ける。
【００７８】
本例では、この処理を順次実行していくことにより、第６回線、第５回線、第４回線の３回線が通電停止でき、消費電力の削減を行うことができる。
【００７９】
＜閉塞途中に発呼がされた場合の処理＞
次に、図９および図１０を参照して、ＲＡＳ装置１が回線の閉塞途中において端末２から発呼が行われた場合の回線接続の処理を説明する。
図９は、本実施形態において、回線の閉塞途中に、発呼が行われた場合の制御シーケンスを示す図である。
【００８０】
まず、ＴＡ３（端末２）からの発呼（「ＳＥＴ ＵＰ」信号）をＩＳＤＮ交換機４が受信し（ステップＳ３０）、ＩＳＤＮ交換機４が、ＲＡＳ装置１の制御部１０（回線制御部１２）へ、回線接続を要求する（ステップＳ３１）。
【００８１】
続いて、ＲＡＳ装置１の回線制御部１２は、回線管理情報１００（図３）を参照し、回線状態１６０を検知する（ステップＳ３２）。ここでは、回線状態１６０が「閉塞途中」であることが検知されるものとする。そして、回線制御部１２は、回線状態１６０が「動作中」であり、かつ、残ＴＳ数１３１が「０」でない回線のタイムスロットを新たに決定する接続先決定処理を行う（ステップＳ３３）。なお、この接続先決定処理については、後記する図１０において詳細に説明する。
【００８２】
次に、回線制御部１２は、接続先決定処理で、新たに決定した回線とタイムスロットについて、タイムスロット管理情報２００（図４）を参照して、該当する回線番号２０１とＴＳ番号２０２から固有電話番号２０３を取得する（ステップＳ３４）。例えば、回線番号２０１が「１」でＴＳ番号２０２が「３」が決定された場合であれば、回線制御部１２は、タイムスロット管理情報２００を参照して、固有電話番号２０３として「00010003」を取得する。
【００８３】
そして、回線制御部１２は、固有電話番号２０３を含む「ＩＮＦＯ」信号をＩＳＤＮ交換機４に送信し（ステップＳ３５）、接続先の変更を要求する。
【００８４】
次に、ＩＳＤＮ交換機４は、受信した「ＩＮＦＯ」信号から取得した新たな回線番号およびタイムスロットを用いて回線接続（「ＳＥＴ ＵＰ」）を要求する（ステップＳ３６）。
【００８５】
ＲＡＳ装置１の回線制御部１２は、回線管理情報１００（図３）を参照し、回線状態１６０を検知する（ステップＳ３７）。ここでは、回線状態１６０が「動作中」であることが検知される。そして、回線制御部１２は、ＩＳＤＮ交換機４に「ＣＯＮＮ」信号を送信し（ステップＳ３８）、ＩＳＤＮ交換機４が、ＴＡ３に「ＣＯＮＮ」信号を送信することにより（ステップＳ３９）、データ通信が開始される。
【００８６】
次に、図９のステップＳ３３における接続先決定処理について説明する。
図１０は、本実施形態において、回線の閉塞途中に、発呼が行われた場合に行われる接続先決定処理を示すフローチャートである。なお、図１０においては、図９のステップＳ３１において、ＩＳＤＮ交換機４が、「ＳＥＴ ＵＰ」信号をＲＡＳ装置１の制御部１０に送信した後の処理から説明する。
【００８７】
まず、ＲＡＳ装置１の制御部１０（回線制御部１２）は、ＩＳＤＮ交換機４から回線番号（ここでは「Ｐｘ」とする。）とタイムスロット（ＴＳ）番号（ここでは「Ｑｘ」とする。）とが含まれる呼接続要求（「ＳＥＴ ＵＰ」信号）を受信する（ステップＳ４０）。
【００８８】
次に、回線制御部１２は、回線管理情報１００（図３）を参照し、回線状態１６０を検知し、回線「Ｐｘ」が「動作中」か否かを判定する（ステップＳ４１）。そして、回線「Ｐｘ」の回線状態１６０が「動作中」であれば（ステップＳ４１→Ｙｅｓ）、ステップＳ４７へ進む。一方、回線「Ｐｘ」が「動作中」でなければ（ステップＳ４１→Ｎｏ）、つまり、回線状態１６０が「閉塞途中」か「閉塞」であれば、次のステップＳ４２へ進む。
【００８９】
ステップＳ４２において、回線制御部１２は、変数ｋの初期値として「０」を設定する。次に、回線制御部１２は、変数ｋに「１」を加える（ステップＳ４３）。
【００９０】
続いて、回線制御部１２は、回線管理情報１００（図３）の二乗平均の順位１５１が第ｋ位（ここでは第１位から始まる）の回線番号「Ｐｋ」の回線を選択する（ステップＳ４４）。
【００９１】
そして、回線制御部１２は、回線（呼）移動情報３００（図５）を参照し、回線番号「Ｐｋ」の回線のタイムスロットのうち、使用可能なタイムスロットがあるか否かを判定する（ステップＳ４５）。ここで、使用可能なタイムスロットとは、未使用で、かつ、このあとのタイムスロットの移動に用いられない、つまり、図５の下段が空のタイムスロットを意味する。
そして、回線制御部１２は、回線番号「Ｐｋ」の回線に、使用可能なタイムスロットがない場合には（ステップＳ４５→Ｎｏ）、ステップＳ４３に戻り処理を続ける。
一方、使用可能なタイムスロットがある場合には（ステップＳ４５→Ｙｅｓ）、回線制御部１２は、次のステップＳ４６へ進む。
【００９２】
ステップＳ４６において、回線制御部１２は、回線（呼）移動情報３００（図５）を参照し、回線番号「Ｐｋ」の回線の使用可能なタイムスロットのうちの１つを、接続先のタイムスロットとして決定する。
そして、回線制御部１２は、接続先決定処理を終え、図９のステップＳ３４以降の処理を続ける。
【００９３】
一方、ステップＳ４１において、回線「Ｐｘ」の回線状態１６０が「動作中」であれば（ステップＳ４１→Ｙｅｓ）、回線制御部１２は、その回線「Ｐｘ」のタイムスロット番号「Ｑｘ」のタイムスロットが使用可能か否かを判定する（ステップＳ４７）。
そして、タイムスロット「Ｑｘ」が使用可能でなければ（ステップＳ４７→Ｎｏ）、回線制御部１２は、ステップＳ４２以降の処理に進む。
一方、タイムスロット「Ｑｘ」が使用可能であれば（ステップＳ４７→Ｙｅｓ）、回線制御部１２は、ＩＳＤＮ交換機４に「ＣＯＮＮ」信号を送信して（ステップＳ４８）、処理を終える。
【００９４】
このようにすることで、ＲＡＳ装置１が回線の閉塞途中において、端末２から発呼が行われた場合であっても、稼動実績がより小さい回線（二乗平均の順位１５１が上位の回線）のタイムスロットを選択して、回線接続することができる。
【００９５】
＜回線閉塞した呼が再発呼された場合の処理＞
次に、図１１および図１２を参照して、図８に示した回線閉塞処理により切断された呼について、端末２から再発呼がなされた場合の回線接続の処理について説明する。
まず、図１１を参照して、図７に示した端末２が発呼してサーバ７に接続する場合の呼制御シーケンスにおける、ステップＳ１０７のＢｃｈ通信およびステップＳ１０８のＩＰ通信の接続シーケンスを説明する。次に、図１２を参照して、本実施形態において、回線閉塞処理により切断された呼について、再発呼がなされた場合に、ＩＰネゴシエーションを省略して、ＩＰ通信を確立する処理について説明する。
【００９６】
図１１は、図７のステップＳ１０７におけるＢチャンネル（Ｂｃｈ）通信とステップＳ１０８におけるＩＰ通信の接続シーケンスを説明するための図ある。
【００９７】
まず、ＴＡ３とＲＡＳ装置１との呼接続が確立した後、ＲＡＳ装置１は、ＴＡ３からの「ＬＣＰ Ｃｏｎｆ Ｒｅｑｕｅｓｔ」信号を受信すると（ステップＳ２０１）、その信号の受信を契機に、ＬＣＰネゴシエーション（ステップＳ２０１〜Ｓ２０４）を行う。そして、ＬＣＰ（Link Control Protocol：ＲＦＣ１４７１）を一旦終端し、その結果に従い、ＰＡＰ（Passward Authentication Protocol：ＲＦＣ１３３４）若しくはＣＨＡＰ（Challenge Handshake Authentication Protocol：ＲＦＣ１９９４）を用いてユーザＩＤを取得する（ステップＳ２０５，Ｓ２０６）。ここでは、ＣＨＡＰを用いる場合を例示している。
【００９８】
次に、ＲＡＳ装置１は、ステップＳ２０７〜Ｓ２１６に示す認証・Ｌ２ＴＰ（Layer 2 Tunneling Protocol） におけるネゴシエーションを行う。
まず、ＲＡＳ装置１は、取得したユーザＩＤを用いて、ＲＡＤＩＵＳ（Remote Authentication Dial In User Server：ＲＦＣ２１３８）サーバ８に対して認証を行い、トンネル情報を取得する（ステップＳ２０７，Ｓ２０８）。そして、ＲＡＳ装置１は、取得したトンネル情報を用いて、Ｌ２ＴＰ（ＲＦＣ２２６１）トンネルを確立するために、接続先となるＬＮＳ（L2TP Network Server）９を特定する。
【００９９】
続いて、ＲＡＳ装置１は、特定したＬＮＳ９に対して、制御コネクション確立要求である「ＳＣＣＲＱ」信号を送信して（ステップＳ２０９）、ＬＮＳ９から制御コネクション確立応答として「ＳＣＣＲＰ」信号を受信する（ステップＳ２１０）。これにより、ＲＡＳ装置１は、コネクション接続確立として「ＳＣＣＣＮ」信号をＬＮＳ９に送信し（ステップＳ２１１）、ＬＮＳ９から「ＺＬＢ Ａｃｋ」を受信する（ステップＳ２１２）。
【０１００】
次に、ＲＡＳ装置１は、ＬＮＳ９に対して、着呼要求として「ＩＣＲＱ」信号をＬＮＳ９に送信し（ステップＳ２１３）、ＬＮＳ９から着呼応答として「ＩＣＲＰ」信号を受信する（ステップＳ２１４）。これにより、ＲＡＳ装置１は、着呼接続として「ＩＣＣＮ」をＬＮＳ９に送信し（ステップＳ２１５）、ＬＮＳ９から「ＺＬＢ Ａｃｋ」を受信する（ステップＳ２１６）。
そして、この認証・Ｌ２ＴＰにおけるネゴシエーションを終えると、Ｌ２ＴＰトンネルが確立し（ステップＳ２１７）、ＲＡＳ装置１は、「ＣＨＡＰ Ｓｕｃｃｅｓｓ」をＴＡ３へ送信する。（ステップＳ２１８）。その後、ＩＰＣＰ（Internet Protocol Contorol Protocol）ネゴシエーションを経て、ＴＡ３とＬＮＳ９間でＩＰ通信（データ通信）が可能となる。
【０１０１】
次に、図１２を参照して、回線閉塞処理により切断された呼について、再発呼がなされた場合の制御シーケンスを説明する。
図１２は、回線閉塞のために一時的に切断した呼について、ＲＡＳ装置１（回線制御部１２）が、当該呼の発呼端末２に代わってＬ２ＴＰトンネルを保持しておき、発呼端末２から再発呼がされた場合に、ＩＰ通信を再開する制御シーケンスを示す図である。
【０１０２】
ここで、ＲＡＳ装置１は、回線閉塞のために一時的に切断した呼に関する接続情報を接続関係管理情報４００（図６）として記憶しており、その接続関係管理情報４００に基づき、キープアライブ（Keep Alive）信号を所定の間隔でＬＮＳ９に送信することにより、発呼端末２の再発呼に対してＬＮＳ９やＲＡＤＩＵＳサーバ８との間の認証・Ｌ２ＴＰにおけるネゴシエーション（図１１のステップＳ２０７〜Ｓ２１６）を省略して、ＩＰ通信を再開できる。以下、具体的に説明する。
【０１０３】
まず、ＲＡＳ装置１の回線制御部１２は、Ｌ２ＴＰトンネルを保持し続けるため、所定の間隔でキープアライブ（Keep Alive）信号をＬＮＳ９へ送信する（ステップＳ３０１）。なお、この処理は、所定時間が経った時点で端末２からの発呼がなければ終了する。
【０１０４】
そして、ＲＡＳ装置１の回線制御部１２がキープアライブ信号をＬＮＳ９に送信している所定時間内に、端末２からの再発呼がなされた場合には、ＴＡ３とＲＡＳ装置１との間で、図１１に示したステップＳ２０１〜Ｓ２０６と同様の処理（図１１と同様のため説明を省略）を行うだけで、ＩＰ通信を再開する（ステップＳ３０２）。
つまり、ＲＡＳ装置１と、ＲＡＤＩＵＳサーバ８およびＬＮＳ９との認証・Ｌ２ＴＰにおけるネゴシエーション（図１１のステップＳ２０７〜Ｓ２１６）は一切行わず、ＩＰ通信を確立することができる。
【０１０５】
以上説明したように、本実施形態に係るＲＡＳ装置１および回線閉塞方法によれば、Ｎ本のＴ１インタフェース５の回線のうち、データ通信の稼動実績が大きい回線の呼を、稼動実績の小さい回線に移動させ、すべての呼が移動し終わるとその回線への通電を停止することができる。よって、物理的に１本の回線を多重することで複数の加入者を収容する１次群速度インタフェースを用いたデータ通信において、より稼動実績の大きい回線への通電を停止し低消費電力化と長寿命化とを実現することができる。
【０１０６】
なお、本実施形態に係るＲＡＳ装置１は、次に示す場合にも、処理を実行することができる。
【０１０７】
（ケースＡ）
本実施形態に示す例において、ある１回線が閉塞途中の状態にあり、他の回線のうち６回線が２３個のタイムスロットすべてを使っており、かつ、他の回線の残りの１回線がｒ個のタイムスロットを使っている場合。
このような場合は、使用可能なタイムスロットが（２３−ｒ）個しか残っておらず、これ以上の呼接続が発生すると接続ができなくなる。そこで、ＲＡＳ装置１は、タイムスロットの個数に関する閾値ｍ１を設定し、図１０のステップＳ４５に付随する判定として、ｒが閾値ｍ１を超えるときに、回線管理情報１００（図３）の回線状態１６０を「閉鎖途中」としていた回線を「動作中」に変更し、当該回線向けに呼接続要求が発生すれば、その回線への呼接続を許容する処理を行うようにする。
【０１０８】
（ケースＢ）
本実施形態に示す例において、いくつかの回線が閉塞状態にあり、それ以外のいくつかの回線が動作中状態にあり、動作中状態の回線においても１回線を除いて、２３個すべてのタイムスロットが使用されていて、その１回線だけがｓ個のタイムスロットを使用している場合。
このような場合にも、ＲＡＳ装置１は、タイムスロットの個数に関する閾値ｍ２を設定し、上記と同様に、図１０のステップＳ４５に付随する判定として、ｓが閾値ｍ２を超えるときに、回線管理情報１００（図３）の回線状態１６０が「閉塞」の回線のうちで、順位１５１において、最上位にあたる回線の通電を開始し、新たな呼接続に応じることができるようにする。
【０１０９】
また、本実施形態に係るＲＡＳ装置１は、以下に示す変形例において実施することも可能である。
【０１１０】
（変形例１）
本実施形態におけるタイムスロット管理情報２００（図４）の固有電話番号２０３は、事前登録をしておくことが前提であった。しかし、このタイムスロット管理情報２００を作成するにあたり、ＩＳＤＮ交換機４から送信される「ＳＥＴ ＵＰ」信号に含まれる、回線番号情報とタイムスロット（ＴＳ）番号情報と接続先電話番号とに基づいて、その回線番号でかつタイムスロット（ＴＳ）番号に対応するタイムスロット管理情報２００の固有電話番号２０３に、その接続先電話番号を記憶するようにしてもよい。
【０１１１】
（変形例２）
本実施形態におけるタイムスロット管理情報２００（図５）のＴＳ状態２０６において、どの状態に属するかの判定は、データ受信最終時間２０４と現時間との差分２０５に示すように時間の計測によって行った。しかし、このような時間の計測によらず、データ通信量を計測して、ある閾値ｕを予め設定しておき、単位時間の間に閾値ｕよりも少ないデータ通信量であれば、「通信データ無し」としてもよい。
【０１１２】
（変形例３）
本実施形態においては、所定の時間毎に、他の回線のタイムスロットへの移動、並びに、回線への給電停止処理を実行するとしたが、この処理は、呼切断が起こったことを契機として実行してもよい。その場合、使用中の回線数やタイムスロット（ＴＳ）数を記憶しておき、呼切断が発生し、かつ、１以上の回線が閉塞できるだけのタイムスロット（ＴＳ）数が残っていることを確認して、回線を閉塞することが可能と判定されたときに、呼の移動処理を実行するようにしてもよい。
【０１１３】
（変形例４）
本実施形態においては、図９に示したように、回線が閉塞途中である場合に、「ＩＮＦＯ」信号を用いて、別チャンネルへの接続に切り替える例を示した。しかしながら、ＩＳＤＮ交換機４が閉塞途中の回線に呼接続を要求する場合に、「ＩＮＦＯ」信号ではなく、他の接続を拒否する信号を送出、若しくは無応答にすることで、ＩＳＤＮ交換機４に別のチャンネルに再接続要求させるようにしてもよい。
【符号の説明】
【０１１４】
１      ＲＡＳ装置
２      端末
３      ＴＡ
４      ＩＳＤＮ交換機
５      Ｔ１インタフェース（１次群速度インタフェース）
６      ＩＰインタフェース
７      サーバ
１０    制御部
１１    回線閉塞処理部
１２    回線制御部
１３    管理情報更新部
２０    Ｔ１インタフェース部
３０    ＩＰインタフェース部
４０    電話網
５０    ＩＰ網
１００  回線管理情報
２００  タイムスロット管理情報
３００  回線（呼）移動情報
４００  接続関係管理情報
【図１】
2013115530.tif 000004
【図２】
2013115530.tif 000005
【図３】
2013115530.tif 000006
【図４】
2013115530.tif 000007
【図５】
2013115530.tif 000008
【図６】
2013115530.tif 000009
【図７】
2013115530.tif 000010
【図８】
2013115530.tif 000011
【図９】
2013115530.tif 000012
【図１０】
2013115530.tif 000013
【図１１】
2013115530.tif 000014
【図１２】
2013115530.tif 000015